(57)【要約】      （修正有）【課題】基板間を接続する際に共用のコネクタでストレートタイプとＬ形（ライトアングル）タイプに対応できる構造の電気コネクタを提供する。【解決手段】本目的はプラグコネクタ２０のハウジング２２の本体部３４から突出した２つの側壁３６と１つの上壁３８を略コ字形状（一方側の上壁を削除した）に配置し、レセプタクルコネクタ５０のブロック５２にレセプタクルコンタクト５４の接触部５８に対応する幅方向の少なくとも一方側にスリット６６を設けることで、プラグコネクタ２０とレセプタクルコネクタ５０とを嵌合した際に、基板間がストレートタイプでもＬ形タイプでも共用できるようにすることで達成できる。【選択図】図２
2010257942.tif 000002
【特許請求の範囲】
【請求項１】
レセプタクルコネクタとプラグコネクタとが着脱自在に嵌合する電気コネクタであって、
前記レセプタクルコネクタのレセプタクルコンタクトと接触する接触部と基板と接続する接続部を有する複数のプラグコンタクトと該プラグコンタクトが保持・配列されるとともに前記レセプタクルコネクタが入る嵌合口を有するハウジングとを有するプラグコネクタと、前記プラグコンタクトと接触する接触部と基板と接続する接続部を有する複数のレセプタクルコンタクトと該レセプタクルコンタクトが保持・配列されるとともに前記プラグコネクタの嵌合口に入る嵌合部を有するブロックとを有するレセプタクルコネクタとを備える電気コネクタにおいて、
前記ハウジングは前記プラグコンタクトが保持される本体部と該本体部上に嵌合方向に突出する２つの側壁と１つの上壁とを備えるとともに２つの側壁と１つの上壁により前記嵌合口を形成し、
前記ブロックは前記レセプタクルコンタクトが保持される本体部と該本体部から嵌合方向に突出した嵌合部を備えるとともに前記ブロックには前記嵌合部の前記レセプタクルコンタクトの接触部に対応する幅方向の少なくとも一方側にスリットを設け、
前記プラグコネクタと前記レセプタクルコネクタとを嵌合した際に、基板間がストレートタイプでもＬ形タイプでも共用できることを特徴とする電気コネクタ。
【請求項２】
前記スリット部分に前記プラグコンタクトを誘う誘い部を設けることを特徴とする請求項１記載の電気コネクタ。
【請求項３】
前記スリットを幅方向のどちらか一方側に設け、前記プラグコンタクト及び前記レセプタクルコンタクトの両方が、ストレートタイプ若しくはＬ形タイプの際に、基板間をストレートタイプとして嵌合する場合は前記スリットと前記ハウジングの上壁とが一致するように嵌合することを特徴とする請求項１または２記載の電気コネクタ。
【請求項４】
前記プラグコンタクト及び前記レセプタクルコンタクトの両方が、ストレートタイプ若しくはＬ形タイプの際に、基板間をＬ形タイプとして嵌合する場合は、前記プラグコンタクトを前記スリット方向から挿入することを特徴とする請求項１または２記載の電気コネクタ。
【請求項５】
前記スリットを幅方向のどちらか一方側に設け、前記プラグコンタクト及び前記レセプタクルコンタクトのどちらか一方が、ストレートタイプ若しくはＬ形タイプの際に、基板間をＬ形タイプとして嵌合する場合は前記スリットと前記ハウジングの上壁とが一致するように嵌合することを特徴とする請求項１または２記載の電気コネクタ。
【請求項６】
前記プラグコンタクト及び前記レセプタクルコンタクトのどちらか一方が、ストレートタイプ若しくはＬ形タイプの際に、基板間をストレートタイプとして嵌合する場合は、前記プラグコンタクトを前記スリット方向から挿入することを特徴とする請求項１または２記載の電気コネクタ。
【請求項７】
前記プラグコンタクト及び前記レセプタクルコンタクトが複数列配置された場合に、前記レセプタクルコネクタのスリット側及び前記プラグコネクタの上壁の反対側から階段式に接触部の位置を変位させることを特徴とする請求項１から６項のうちいずれか１項記載の電気コネクタ。
【請求項８】
前記プラグコンタクト及び前記レセプタクルコンタクトが複数列配置された場合に、前記レセプタクルコネクタのスリット側及び前記プラグコネクタの上壁の反対側から階段式に接触長を長くすることを特徴とする請求項１から６項のうちいずれか１項記載の電気コネクタ。
【発明の詳細な説明】
【技術分野】
【０００１】
本発明は、ＦＡ機器やカーナビ等の電気機器や電子機器に使用される基板間を接続するプラグコネクタとレセプタクルコネクタとからなる電気コネクタに関するもので、特に、プラグコネクタとレセプタクルコネクタとを嵌合した際に基板間がストレートタイプとL形タイプに共用できる構造の電気コネクタに関するものである。
【背景技術】
【０００２】
基板間を接続する場合、電気コネクタは一般的に、プラグコネクタとレセプタクルコネクタをそれぞれの基板に接続し、それぞれのコネクタを嵌合させることで、基板間を接続している。基板間を接続するタイプには、ストレートタイプとＬ形（ライトアングル）タイプとがある。
客先からは雌雄のコネクタを共通にしたいとか、基板間を接続する際に共用のコネクタでストレートタイプとＬ形（ライトアングル）タイプに対応したいという要求がでてきている。
雌雄コネクタが共用のものとしては、特許文献として、特許文献１（特開２００１−１４３７８７）や本出願人が既に提案した特許文献２（特願２００８−１７０１０２）を示す。
【先行技術文献】
【特許文献】
【０００３】
【特許文献１】特許文献１の特開２００１−１４３７８７の要約によると、コストを低減でき、コンタクト周辺の温度上昇を防止できるコネクタを提供することを目的とし、雌雄同体コネクタに使用されるワンピースコネクタは、雌雄同体で全く同一であり、ワンピースコネクタ１１を構成するコンタクト１３、１５の自由端は、凹んだ嵌合ブロック部１２−３から嵌合方向に露出し、そのため、ワンピースコネクタ１１を２個嵌合する際には、通気穴を形成する結果、コンタクト１３、１５から発生する熱の放射が容易になる構造のコネクタが開示されている。
【特許文献２】特許文献２の特願２００８−１７０１０２の要約によると、コンタクト若しくはコンタクト・絶縁体の両方の共有化ができ、狭ピッチ化にも対応でき、確実なロック手段と嵌合時のクリック感を有するコンタクト及びコンタクトを用いたコネクタを提供することを目的とし、導電性材料からなる少なくとも１個の板状のコンタクト２０であって、コンタクト２０の先端部の少なくとも一方に、第１接続対象物と接触する接触部２４を含む千鳥状に分岐させた少なくとも２個の分割接触片２６と、第２接続対象物に接続する接続部２８を有するコンタクト２０において、分割接触片２６と接続部２８との間を延設するとともに延設部分３２に分割接触片２６と接触・係合する接触係合手段３０を設け、同一の前記コンタクト２０を接触・係合させることで、２つの前記第２接続対象物間を導通させることにより達成できる構造のコンタクトが開示されている。
【発明の概要】
【発明が解決しようとする課題】
【０００４】
上記に示した特許文献１及び特許文献２は、雌雄のコネクタを共有にするものであって、これらの構造では基板間を接続する際に共用のコネクタでストレートタイプとＬ形（ライトアングル）タイプに対応できない。
【０００５】
本発明は、このような従来の問題点に鑑みてなされたもので、基板間を接続する際に共用のコネクタでストレートタイプとＬ形（ライトアングル）タイプに対応できる構造の電気コネクタを提供せんとするものである。
【課題を解決するための手段】
【０００６】
本目的は、請求項１記載の電気コネクタのように、レセプタクルコネクタとプラグコネクタとが着脱自在に嵌合する電気コネクタであって、前記レセプタクルコネクタのレセプタクルコンタクトと接触する接触部と基板と接続する接続部を有する複数のプラグコンタクトと該プラグコンタクトが保持・配列されるとともに前記レセプタクルコネクタが入る嵌合口を有するハウジングとを有するプラグコネクタと、前記プラグコンタクトと接触する接触部と基板と接続する接続部を有する複数のレセプタクルコンタクトと該レセプタクルコンタクトが保持・配列されるとともに前記プラグコネクタの嵌合口に入る嵌合部を有するブロックとを有するレセプタクルコネクタとを備える電気コネクタにおいて、前記ハウジングは前記プラグコンタクトが保持される本体部と該本体部上に嵌合方向に突出する２つの側壁と１つの上壁とを備えるとともに２つの側壁と１つの上壁により前記嵌合口を形成し、前記ブロックは前記レセプタクルコンタクトが保持される本体部と該本体部から嵌合方向に突出した嵌合部を備えるとともに前記ブロックには前記嵌合部の前記レセプタクルコンタクトの接触部に対応する幅方向の少なくとも一方側にスリットを設け、前記プラグコネクタと前記レセプタクルコネクタとを嵌合した際に、基板間がストレートタイプでもＬ形タイプでも共用できることを特徴とする電気コネクタにより達成できる。
【０００７】
請求項２記載の電気コネクタは、前記スリット部分に前記プラグコンタクトを誘う誘い部を設けることを特徴とする請求項１記載の電気コネクタにある。
また、請求項３記載の電気コネクタは、前記スリットを幅方向のどちらか一方側に設け、前記プラグコンタクト及び前記レセプタクルコンタクトの両方が、ストレートタイプ若しくはＬ形タイプの際に、基板間をストレートタイプとして嵌合する場合は前記スリットと前記ハウジングの上壁とが一致するように嵌合することを特徴とする請求項１または２記載の電気コネクタにある。
さらに、請求項４記載の電気コネクタは、前記プラグコンタクト及び前記レセプタクルコンタクトの両方が、ストレートタイプ若しくはＬ形タイプの際に、基板間をＬ形タイプとして嵌合する場合は、前記プラグコンタクトを前記スリット方向から挿入することを特徴とする請求項１または２記載の電気コネクタにある。
【０００８】
請求項５記載の電気コネクタは、前記スリットを幅方向のどちらか一方側に設け、前記プラグコンタクト及び前記レセプタクルコンタクトのどちらか一方が、ストレートタイプ若しくはＬ形タイプの際に、基板間をＬ形タイプとして嵌合する場合は前記スリットと前記ハウジングの上壁とが一致するように嵌合することを特徴とする請求項１または２記載の電気コネクタにある。
また、請求項６記載の電気コネクタは、前記プラグコンタクト及び前記レセプタクルコンタクトのどちらか一方が、ストレートタイプ若しくはＬ形タイプの際に、基板間をストレートタイプとして嵌合する場合は、前記プラグコンタクトを前記スリット方向から挿入することを特徴とする請求項１または２記載の電気コネクタにある。
さらに、請求項７記載の電気コネクタは、前記プラグコンタクト及び前記レセプタクルコンタクトが複数列配置された場合に、前記レセプタクルコネクタのスリット側及び前記プラグコネクタの上壁の反対側から階段式に接触部の位置を変位させることを特徴とする請求項１から６項のうちいずれか１項記載の電気コネクタにある。
さらにまた、請求項８記載の電気コネクタは、前記プラグコンタクト及び前記レセプタクルコンタクトが複数列配置された場合に、前記レセプタクルコネクタのスリット側及び前記プラグコネクタの上壁の反対側から階段式に接触長を長くすることを特徴とする請求項１から６項のうちいずれか１項記載の電気コネクタにある。
【発明の効果】
【０００９】
以上の説明から明らかなように、本発明の電気コネクタによると、次のような優れた効果が得られる。
（１）請求項１記載の電気コネクタのように、レセプタクルコネクタとプラグコネクタとが着脱自在に嵌合する電気コネクタであって、前記レセプタクルコネクタのレセプタクルコンタクトと接触する接触部と基板と接続する接続部を有する複数のプラグコンタクトと該プラグコンタクトが保持・配列されるとともに前記レセプタクルコネクタが入る嵌合口を有するハウジングとを有するプラグコネクタと、前記プラグコンタクトと接触する接触部と基板と接続する接続部を有する複数のレセプタクルコンタクトと該レセプタクルコンタクトが保持・配列されるとともに前記プラグコネクタの嵌合口に入る嵌合部を有するブロックとを有するレセプタクルコネクタとを備える電気コネクタにおいて、前記ハウジングは前記プラグコンタクトが保持される本体部と該本体部上に嵌合方向に突出する２つの側壁と１つの上壁とを備えるとともに２つの側壁と１つの上壁により前記嵌合口を形成し、前記ブロックは前記レセプタクルコンタクトが保持される本体部と該本体部から嵌合方向に突出した嵌合部を備えるとともに前記ブロックには前記嵌合部の前記レセプタクルコンタクトの接触部に対応する幅方向の少なくとも一方側にスリットを設け、前記プラグコネクタと前記レセプタクルコネクタとを嵌合した際に、基板間がストレートタイプでもＬ形タイプでも共用できることを特徴とする電気コネクタにしているので、簡単な構造で、基板間を接続する際に共用のコネクタでストレートタイプとＬ形（ライトアングル）タイプに対応できる。
（２）請求項２記載の電気コネクタは、前記スリット部分に前記プラグコンタクトを誘う誘い部を設けることを特徴とする請求項１記載の電気コネクタにしているので、簡単な構造で、基板間を接続する際に共用のコネクタでストレートタイプとＬ形（ライトアングル）タイプに対応できる。
（３）請求項３記載の電気コネクタは、前記スリットを幅方向のどちらか一方側に設け、前記プラグコンタクト及び前記レセプタクルコンタクトの両方が、ストレートタイプ若しくはＬ形タイプの際に、基板間をストレートタイプとして嵌合する場合は前記スリットと前記ハウジングの上壁とが一致するように嵌合することを特徴とする請求項１または２記載の電気コネクタにしているので、簡単な構造で、基板間を接続する際に共用のコネクタでストレートタイプとＬ形（ライトアングル）タイプに対応できる。
（４）請求項４記載の電気コネクタは、前記プラグコンタクト及び前記レセプタクルコンタクトの両方が、ストレートタイプ若しくはＬ形タイプの際に、基板間をＬ形タイプとして嵌合する場合は、前記プラグコンタクトを前記スリット方向から挿入することを特徴とする請求項１または２記載の電気コネクタにしているので、簡単な構造で、基板間を接続する際に共用のコネクタでストレートタイプとＬ形（ライトアングル）タイプに対応できる。
（５）請求項５記載の電気コネクタは、前記スリットを幅方向のどちらか一方側に設け、前記プラグコンタクト及び前記レセプタクルコンタクトのどちらか一方が、ストレートタイプ若しくはＬ形タイプの際に、基板間をＬ形タイプとして嵌合する場合は前記スリットと前記ハウジングの上壁とが一致するように嵌合することを特徴とする請求項１または２記載の電気コネクタにしているので、簡単な構造で、基板間を接続する際に共用のコネクタでＬ形（ライトアングル）タイプに対応できる。
（６）請求項６記載の電気コネクタは、前記プラグコンタクト及び前記レセプタクルコンタクトのどちらか一方が、ストレートタイプ若しくはＬ形タイプの際に、基板間をストレートタイプとして嵌合する場合は、前記プラグコンタクトを前記スリット方向から挿入することを特徴とする請求項１または２記載の電気コネクタにしているので、簡単な構造で、基板間を接続する際に共用のコネクタでストレートタイプに対応できる。
（７）請求項７記載の電気コネクタは、前記プラグコンタクト及び前記レセプタクルコンタクトが複数列配置された場合に、前記レセプタクルコネクタのスリット側及び前記プラグコネクタの上壁の反対側から階段式に接触部の位置を変位させることを特徴とする請求項１から６項のうちいずれか１項記載の電気コネクタにしているので、コンタクトが複数列配列されても、簡単な構造で、基板間を接続する際に共用のコネクタでストレートタイプに対応できる。
（８）請求項８記載の電気コネクタは、前記プラグコンタクト及び前記レセプタクルコンタクトが複数列配置された場合に、前記レセプタクルコネクタのスリット側及び前記プラグコネクタの上壁の反対側から階段式に接触長を長くすることを特徴とする請求項１から６項のうちいずれか１項記載の電気コネクタにしているので、コンタクトが複数列配列されても、簡単な構造で、基板間を接続する際に共用のコネクタでストレートタイプに対応できる。
【図面の簡単な説明】
【００１０】
【図１】（Ａ）  ストレートタイプ同士のコンタクトが配置されたプラグコネクタとレセプタクルコネクタとがストレートで嵌合した状態の電気コネクタの斜視図である。（Ｂ）  （Ａ）の状態の電気コネクタをあるコンタクト部分で断面した断面図である。（Ｃ）  ストレートタイプ同士のコンタクトが配置されたプラグコネクタとレセプタクルコネクタとがＬ形で嵌合した状態の電気コネクタの斜視図である。（D）  （Ｃ）の状態の電気コネクタをあるコンタクト部分で断面した断面図である。
【図２】（Ａ）  ストレートタイプのコンタクトが配置されたプラグコネクタを嵌合方向からみた斜視図である。（Ｂ）  ストレートタイプのコンタクトが配置されたレセプタクルコネクタを嵌合方向からみた斜視図である。
【図３】（Ａ）  ハウジングを嵌合方向からみた斜視図である。（Ｂ）  ブロックを嵌合方向からみた斜視図である。
【図４】（Ａ）  ストレートタイプのプラグコンタクトの斜視図である。（Ｂ）  ストレートタイプのレセプタクルコンタクトの斜視図である。
【図５】（Ａ）  どちらか一方がストレートタイプで他方がＬ形タイプのコンタクトが配置されたプラグコネクタとレセプタクルコネクタとがＬ形で嵌合した状態の図１とは別の電気コネクタの斜視図である。（Ｂ）  （Ａ）の状態の電気コネクタをあるコンタクト部分で断面した断面図である。（Ｃ）  どちらか一方がストレートタイプで他方がＬ形タイプのコンタクトが配置されたプラグコネクタとレセプタクルコネクタとがストレートで嵌合した状態の図１とは別の電気コネクタの斜視図である。（Ｄ）  （Ｃ）の状態の電気コネクタをあるコンタクト部分で断面した断面図である。
【図６】（Ａ）  Ｌ形タイプのコンタクトが配置されたプラグコネクタを嵌合方向からみた斜視図である。（Ｂ）  ストレートタイプのコンタクトが配置されたレセプタクルコネクタを嵌合方向からみた斜視図である。
【図７】（Ａ）  図６（Ａ）に用いたプラグコンタクトの斜視図である。（Ｂ）  図６（Ｂ）に用いたレセプタクルコンタクトの斜視図である。
【図８】（Ａ）  コンタクトが３列配置されたプラグコネクタの斜視図である。（Ｂ）  （Ａ）をあるコンタクト部分で断面した断面図である。（Ｃ）  コンタクトが３列配置されたレセプタクルコネクタの斜視図である。（Ｄ）  （Ｃ）をあるコンタクト部分で断面した断面図である。（Ｅ）  コンタクトが３列配置されたプラグコネクタとレセプタクルコネクタとが嵌合した状態の斜視図である。（Ｆ）  （Ｅ）をあるコンタクト部分で断面した断面図である。
【図９】（Ａ）  コンタクトが３列配置されたプラグコネクタの斜視図である。（Ｂ）  コンタクトが３列配置されたレセプタクルコネクタの斜視図である。（Ｃ）  コンタクトが３列配置されたプラグコネクタとレセプタクルコネクタとが直角に嵌合した状態の斜視図である。（Ｄ）  （Ｃ）の絶縁体（ハウジングとブロック）を取り除いた状態のプラグコンタクトとレセプタクルコンタクトとが嵌合した状態の斜視図である。（Ｅ）  コンタクトが３列配置されたプラグコネクタとレセプタクルコネクタとが平行に嵌合した状態の斜視図である。（Ｆ）  （Ｅ）の絶縁体（ハウジングとブロック）を取り除いた状態のプラグコンタクトとレセプタクルコンタクトとが嵌合した状態の斜視図である。
【図１０】（Ａ）  ストレートタイプのショートレセプタクルコンタクトである。（Ｂ）  ストレートタイプのミドルレセプタクルコンタクトである。（Ｃ）  ストレートタイプのロングレセプタクルコンタクトである。（Ｄ）  Ｌ形タイプのショートレプラグコンタクトである。（Ｅ）  Ｌ形タイプのミドルレセプタクルコンタクトである。（Ｆ）  Ｌ形タイプのロングレセプタクルコンタクトである。
【図１１】（Ａ）  Ｌ形用のハウジングの斜視図である。（Ｂ）  （Ａ）をある挿入孔部分で断面した断面図である。（Ｃ）  ストレート用のブロックの斜視図である。（Ｄ）  （Ｃ）をある挿入孔部分で断面した断面図である。
【発明を実施するための最良の形態】
【００１１】
本発明の特徴は、請求項１記載の電気コネクタ１０のように、レセプタクルコネクタ５０とプラグコネクタ２０とが着脱自在に嵌合する電気コネクタ１０であって、前記レセプタクルコネクタ５０のレセプタクルコンタクト５４と接触する接触部２８と基板と接続する接続部３２を有する複数のプラグコンタクト２４と該プラグコンタクト２４が保持・配列されるとともに前記レセプタクルコネクタ５０が入る嵌合口２６を有するハウジング２２とを有するプラグコネクタ２０と、前記プラグコンタクト２４と接触する接触部５８と基板と接続する接続部６２を有する複数のレセプタクルコンタクト５４と該レセプタクルコンタクト５４が保持・配列されるとともに前記プラグコネクタ２０の嵌合口２６に入る嵌合部５６を有するブロック５２とを有するレセプタクルコネクタ５０とを備える電気コネクタ１０において、前記ハウジング２２は前記プラグコンタクト２４が保持される本体部３４と該本体部３４上に嵌合方向に突出する２つの側壁３６と１つの上壁３８とを備えるとともに２つの側壁３６と１つの上壁３８により前記嵌合口２６を形成し、前記ブロック５２は前記レセプタクルコンタクト５４が保持される本体部６４と該本体部６４から嵌合方向に突出した嵌合部５６を備えるとともに前記ブロック５２には前記嵌合部５６の前記レセプタクルコンタクト５４の接触部５８に対応する幅方向の少なくとも一方側にスリット６６を設け、前記プラグコネクタ２０と前記レセプタクルコネクタ５０とを嵌合した際に、基板間がストレートタイプでもＬ形タイプでも共用できることを特徴とする電気コネクタ１０である。
つまり、前記プラグコネクタ２０のハウジング２２の本体部３４から突出した２つの側壁３６と１つの上壁３８を略コ字形状（一方側の上壁を削除した）に配置し、レセプタクルコネクタ５０のブロック５２に前記レセプタクルコンタクト５４の接触部５８に対応する幅方向の少なくとも一方側にスリット６６を設けることで、前記プラグコネクタ２０と前記レセプタクルコネクタ５０とを嵌合した際に、基板間がストレートタイプでもＬ形タイプでも共用できるようにしたものである。
【００１２】
図に基づいて、本発明の電気コネクタの一実施例を説明する。
図１（Ａ）はストレートタイプ同士のコンタクトが配置されたプラグコネクタとレセプタクルコネクタとがストレートで嵌合した状態の電気コネクタの斜視図であり、（Ｂ）は（Ａ）の状態の電気コネクタをあるコンタクト部分で断面した断面図であり、（Ｃ）はストレートタイプ同士のコンタクトが配置されたプラグコネクタとレセプタクルコネクタとがＬ形で嵌合した状態の電気コネクタの斜視図であり、（Ｄ）は（Ｃ）の状態の電気コネクタをあるコンタクト部分で断面した断面図である。図２（Ａ）はストレートタイプのコンタクトが配置されたプラグコネクタを嵌合方向からみた斜視図であり、（Ｂ）はストレートタイプのコンタクトが配置されたレセプタクルコネクタを嵌合方向からみた斜視図である。図３（Ａ）はハウジングを嵌合方向からみた斜視図であり、（Ｂ）はブロックを嵌合方向からみた斜視図である。図４（Ａ）はストレートタイプのプラグコンタクトの斜視図であり、（Ｂ）はストレートタイプのレセプタクルコンタクトの斜視図である。図５（Ａ）はどちらか一方がストレートタイプで他方がＬ形タイプのコンタクトが配置されたプラグコネクタとレセプタクルコネクタとがストレートで嵌合した状態の図１とは別の電気コネクタの斜視図であり、（Ｂ）は（Ａ）の状態の電気コネクタをあるコンタクト部分で断面した断面図であり、（Ｃ）はどちらか一方がストレートタイプで他方がＬ形タイプのコンタクトが配置されたプラグコネクタとレセプタクルコネクタとがストレートで嵌合した状態の図１とは別の電気コネクタの斜視図であり、（Ｄ）は（Ｃ）の状態の電気コネクタをあるコンタクト部分で断面した断面図である。図６（Ａ）はＬ形タイプのコンタクトが配置されたプラグコネクタを嵌合方向からみた斜視図であり、（Ｂ）はストレートタイプのコンタクトが配置されたレセプタクルコネクタを嵌合方向からみた斜視図である。図７（Ａ）は図６（Ａ）に用いたプラグコンタクトの斜視図であり、（Ｂ）は図６（Ｂ）に用いたレセプタクルコンタクトの斜視図である。
本発明の電気コネクタ１０は、プラグコネクタ２０とレセプタクルコネクタ５０とを備え、プラグコネクタ２０は少なくとも絶縁体であるハウジング２２とプラグコンタクト２４を有し、レセプタクルコネクタ５０は少なくとも絶縁体であるブロック５２とレセプタクルコンタクト５４を有している。
【００１３】
まず、最初に図１から図４に基づいて、それぞれのコンタクトがストレートタイプを用いたプラグコネクタ２０とレセプタクルコネクタ５０を備えた電気コネクタ１０について説明する。第一に、前記プラグコネクタ２０より説明する。上述のように、前記プラグコネクタ２０はハウジング２２とプラグコンタクト２４を有しており、まず、プラグコンタクトについて説明する。前記プラグコンタクト２４は金属製であり、公知技術のプレス加工によって製作されている。前記プラグコンタクト２４の材質としては、バネ性や導電性などが要求されるので、黄銅やベリリウム銅やリン青銅等を挙げることができる。前記プラグコンタクト２４は前記ハウジング２２の挿入孔４０に挿入されている。
【００１４】
前記プラグコンタクト２４は図４のようにストレートタイプのコンタクトである。つまり、接触部２８から接続部３２までがストレート（一直線）に配置されている。前記接触部２８は、前記レセプタクルコンタクト５４の接触部５８と接触する部分であり、本実施例では板状片にしている。前記接触部２８の形状は、相手コネクタであるレセプタクルコネクタ５０に嵌合する際の嵌合口２６の開口方向や開口方向と直角方向からの嵌合、かつ、接触安定性を考慮して適宜設計する。
【００１５】
前記固定部３０は、前記ハウジング２２に保持される部分であり、保持力やコネクタの小型化や組立て方法等を考慮して適宜設計する。本実施例では、圧入しているが、保持できれば如何なる方法でもよく、ランス（引っ掛け）や溶着や一体成型等を挙げることができる。
【００１６】
前記接続部３２は、基板に接続される部分であり、本実施例ではストレートディップタイプにしているが、基板に実装できれば如何なるタイプでもよく、基板占有面積や強度や実装密度や実装工程などを考慮して適宜設計する。タイプとしては、ＳＭＴタイプやディップタイプやプレスフィットタイプなどを挙げることができる。
【００１７】
次に、ハウジング２２について説明する。このハウジング２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング２２には、所要数のプラグコンタクト２４が装着される挿入孔４０が設けられており、圧入や引っ掛け（ランス）や溶着等によって固定されている。
【００１８】
前記ハウジング２２は、前記プラグコンタクト２４が保持される本体部３４と該本体部３４から嵌合方向（ストレートディップタイプの接続部と反対方向）へ突出した２つの側壁３６と１つの上壁３８を有しており、２つの側壁３６と１つの上壁３８とで前記嵌合口２６を形成している。即ち、突出した２つの側壁３６と１つの上壁３８は略コ字形状に配置されている。前記嵌合口２６の大きさは、前記レセプタクルコネクタ５０の嵌合部５６が入り、前記プラグコンタクト２４の接触部２８を覆い、安定した接触が得られるように適宜設計する。通常の場合、前記上壁３８も２つにし、それぞれ２つの前記側壁３６と前記上壁３８とで略箱状の嵌合口２６を形成するが、本願では１つの上壁を省くことで、ストレートでもＬ形にでも嵌合できるようにしている。
【００１９】
第二に、前記レセプタクルコネクタ５０より説明する。上述のように、前記レセプタクルコネクタ５０はブロック５２とレセプタクルコンタクト５４を有しており、まず、レセプタクルコンタクトについて説明する。前記レセプタクルコンタクト５４は金属製であり、公知技術のプレス加工によって製作されている。前記レセプタクルコンタクト５４の材質としては、バネ性や導電性などが要求されるので、黄銅やベリリウム銅やリン青銅等を挙げることができる。前記レセプタクルコンタクト５４は前記ブロック５２の挿入孔７０に挿入されている。
【００２０】
前記レセプタクルコンタクト５４は図４のようにストレートタイプのコンタクトである。つまり、接触部５８から接続部６２までがストレート（一直線）に配置されている。前記接触部５８は、前記プラグコンタクト２４の接触部２８と接触する部分であり、本実施例では板状の音叉形にしている。前記接触部５８の形状は、相手コネクタであるプラグコネクタ２０に嵌合する際に嵌合口２６の開口方向や開口方向と直角方向からの嵌合、かつ、接触安定性を考慮して適宜設計する。
【００２１】
前記固定部６０は、前記ブロック５２に保持される部分であり、保持力やコネクタの小型化や組立て方法等を考慮して適宜設計する。本実施例では、圧入しているが、保持できれば如何なる方法でもよく、ランス（引っ掛け）や溶着や一体成型等を挙げることができる。
【００２２】
前記接続部６２は、基板に接続される部分であり、本実施例ではストレートタイプにしているが、基板に実装できれば如何なるタイプでもよく、基板占有面積や強度や実装密度や実装工程などを考慮して適宜設計する。タイプとしては、ＳＭＴタイプやディップタイプやプレスフィットタイプなどを挙げることができる。
【００２３】
次に、ブロック５２について説明する。このブロック５２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ブロック５２には、所要数のレセプタクルコンタクト５４が装着される挿入孔７０が設けられており、圧入や引っ掛け（ランス）や溶着等によって固定されている。
【００２４】
前記ブロック５２は、前記レセプタクルコンタクト５４が保持される本体部６４と該本体部６４から嵌合方向（ストレートディップタイプの接続部と反対方向）へ突出した嵌合部５６を有している。即ち、突出した嵌合部５６は、前記プラグコネクタ２０の嵌合口２６に入る部分であり、前記嵌合部５６の大きさは前記プラグコネクタ２０の嵌合口２６に入り、前記レセプタクルコンタクト５４の接触部５８を覆い、安定した接触が得られるように適宜設計する。
【００２５】
前記ブロック５２の嵌合部５６には、前記レセプタクルコンタクト５４の接触部５８に対応する幅方向の少なくとも一方側にスリット６６が設けられている。また、前記スリット６６には、前記プラグコンタクト２４を導き易くするために誘い部６８が設けられている。前記スリット６６は、前記プラグコネクタ２０との嵌合の際に、前記プラグコネクタ２０の嵌合口２６の開口方向（ストレートディップタイプの接続部と反対方向）や開口方向と直角方向からの嵌合を可能にするためのものである。前記スリット６６の大きさは、前記プラグコンタクト２４が入れば如何なる大きさでもよく、強度や小型化等を考慮して適宜設計するが、本実施例では前記プラグコンタクト２４より０．３〜１．５ｍｍ程度大きくしている。
【００２６】
ここで嵌合の仕方について説明する。
前記プラグコンタクト及び前記レセプタクルコンタクトの両方が、ストレートタイプ若しくはＬ形タイプの際に、基板間をストレートタイプとして嵌合する場合は前記スリット６６と前記ハウジング２２の上壁３８とが一致するように嵌合させる。
また、前記プラグコンタクト及び前記レセプタクルコンタクトの両方が、ストレートタイプ若しくはＬ形タイプの際に、基板間をＬ形タイプとして嵌合する場合は、前記プラグコンタクト２４を前記スリット６６方向から挿入させる。
Ｌ形タイプ同士の前記プラグコンタクト及び前記レセプタクルコンタクトについては、図示していないが、ストレートタイプ同士と同様である。
【００２７】
次に、図５から図７に基づいて、別の電気コネクタ１０１について説明する。以下では、相違点についてのみ説明し、同一部分には同一符号にする。前記ハウジング２２と前記ブロック５２と前記レセプタクルコンタクト５４は上述と同様である。違うには、前記プラグコンタクト２４１の形状であり、図７のようにＬ形形状をしている。形状が相違するだけで、その他は同一である。
【００２８】
以下で、嵌合の仕方について説明する。
基板間をストレートタイプとして嵌合する場合は、前記プラグコンタクト２４１を前記スリット６６方向から挿入させる。
また、基板間がＬ形タイプとして嵌合する場合は、前記スリット６６と前記ハウジング２２の上壁３８とが一致するように嵌合させる。
【００２９】
図８〜図１１に基づいて、コンタクトが複数列配列された場合の電気コネクタ１１について説明する。図８（Ａ）はコンタクトが３列配置されたプラグコネクタの斜視図であり、（Ｂ）は（Ａ）をあるコンタクト部分で断面した断面図であり、（Ｃ）はコンタクトが３列配置されたレセプタクルコネクタの斜視図であり、（Ｄ）は（Ｃ）をあるコンタクト部分で断面した断面図であり、（Ｅ）はコンタクトが３列配置されたプラグコネクタとレセプタクルコネクタとが嵌合した状態の斜視図であり、（Ｆ）は（Ｅ）をあるコンタクト部分で断面した断面図である。図９（Ａ）はコンタクトが３列配置されたプラグコネクタの斜視図であり、（Ｂ）はコンタクトが３列配置されたレセプタクルコネクタの斜視図であり、（Ｃ）はコンタクトが３列配置されたプラグコネクタとレセプタクルコネクタとが直角に嵌合した状態の斜視図であり、（Ｄ）は（Ｃ）の絶縁体（ハウジングとブロック）を取り除いた状態のプラグコンタクトとレセプタクルコンタクトとが嵌合した状態の斜視図であり、（Ｅ）はコンタクトが３列配置されたプラグコネクタとレセプタクルコネクタとが平行に嵌合した状態の斜視図であり、（Ｆ）は（Ｅ）の絶縁体（ハウジングとブロック）を取り除いた状態のプラグコンタクトとレセプタクルコンタクトとが嵌合した状態の斜視図である。図１０（Ａ）はストレートタイプのショートレセプタクルコンタクトであり、（Ｂ）はストレートタイプのミドルレセプタクルコンタクトであり、（Ｃ）はストレートタイプのロングレセプタクルコンタクトであり、（Ｄ）はＬ形タイプのショートレプラグコンタクトであり、（Ｅ）はＬ形タイプのミドルレセプタクルコンタクトであり、（Ｆ）はＬ形タイプのロングレセプタクルコンタクトである。図１１（Ａ）はＬ形用のハウジングの斜視図であり、（Ｂ）は（Ａ）をある挿入孔部分で断面した断面図であり、（Ｃ）はストレート用のブロックの斜視図であり、（Ｄ）は（Ｃ）をある挿入孔部分で断面した断面図である。本実施例では、接触長の長いものをロングとし、短いものをショートとした。
コンタクトが複数列配列された場合の本発明の電気コネクタ１１も、プラグコネクタ２１とレセプタクルコネクタ５１とを備え、プラグコネクタ２１は少なくとも絶縁体であるハウジング２２１とプラグコンタクト２５、２５１、２５２を有し、レセプタクルコネクタ５１は少なくとも絶縁体であるブロック５２１とレセプタクルコンタクト５５、５５１、５５２を有している。本実施例の場合は、コンタクトが３列配置されたものである。以下では、１列の場合との相違点についてのみ説明する。
【００３０】
前記プラグコネクタ２１のハウジング２２１の相違点は、３種類のプラグコンタクト２５、２５１、２５２が挿入される挿入孔４０が３列配置されていることである。また、本実施例の場合、Ｌ形タイプであるため、接続部３２が突出する位置は基板に接続できるように、強度や寸法安定性や加工性等を考慮して適宜設計する。図示はしないが、ストレートタイプの場合、前記挿入孔４０の位置のままである。
【００３１】
前記プラグコネクタ２１のプラグコンタクトの相違点は、３種類のプラグコンタクト２５、２５１、２５２を用いたことである。３種類のプラグコンタクト２５、２５１、２５２の相違点は接触長と接続長の違いであり、構造は１列と同一である。図示しないがストレートタイプも同様であるが、ストレートタイプの接続長は変わらない。つまり、上壁３８の反対側より接触長を階段式に長くしているが、接続長は接触長とは逆に短くしている。接触長はコネクタの小型化や有効嵌合長や接触安定性や加工性等を考慮して適宜設計している。本実施例では、前記ショートプラグコンタクト２５２より前記ミドルプラグコンタクト２５１は１．５ｍｍ程度長くし、さらに、前記ロングプラグコンタクト２５は前記ミドルプラグコンタクト２５１より１．５ｍｍ程度長くしている。本実施例における接続長は、前記ロングプラグコンタクト２５より前記ミドルプラグコンタクト２５１は２．５４ｍｍ程度長くし、さらに、前記ショートプラグコンタクト２５２は前記ミドルプラグコンタクト２５１より２．５４ｍｍ程度長くしている。
【００３２】
前記レセプタクルコネクタ５１のブロック５２１の相違点は、３種類のレセプタクルコンタクト５５、５５１、５５２が挿入される挿入孔７０が３列配置されていることである。また、本実施例の場合、ストレートタイプであるため、前記接続部３２は前記挿入孔７０の位置から突出している。図示はしないが、Ｌ形タイプの場合、接続部３２が突出する位置は基板に接続できるように、強度や寸法安定性や加工性等を考慮して適宜設計する。
【００３３】
前記レセプタクルコネクタ５１のレセプタクルコンタクトの相違点は、３種類のレセプタクルコンタクト５５、５５１、５５２を用いたことである。３種類のレセプタクルコンタクト５５、５５１、５５２の相違点は接触長の違いであり、構造は１列と同一である。図示しないがＬ形タイプも同様であるが、Ｌ形タイプの場合は接続長も変える。つまり、前記スリット６６側より接触長を階段式に長くしている。接触長はコネクタの小型化や有効嵌合長や接触安定性や加工性等を考慮して適宜設計している。本実施例では、前記ショートレセプタクルコンタクト５５より前記ミドルレセプタクルコンタクト５５１は２．５４ｍｍ程度長くし、さらに、前記ロングレセプタクルコンタクト５５２は前記ミドルレセプタクルコンタクト５５１より２．５４ｍｍ程度長くしている。図示しないが、Ｌ形タイプの場合には、接続長は接触長とは逆に短くしている。
【００３４】
ここで、嵌合状態を、図９を用いて説明する。垂直及び水平に嵌合する場合にも、図９（Ｄ）及び（Ｆ）のように、接触長の長いプラグコンタクトが接触長の短いレセプタクルコンタクトと接触することになる。本実施例の３列配置の場合で説明すると、前記ロングプラグコンタクト２５が前記ショートレセプタクルコンタクト５５と接触し、前記ミドルプラグコンタクト２５１が前記ミドルレセプタクルコンタクト５５１と接触し、前記ショートプラグコンタクト２５２が前記ロングレセプタクルコンタクト５５２と接触することになる。これは、本実施例の３列に限定されるものではなく、列の数が増えても同様であり、適宜、接触長や接続長を設計することになる。
【産業上の利用可能性】
【００３５】
本発明の活用例としては、ＦＡ機器やカーナビ等の電気機器や電子機器に使用される基板間を接続するプラグコネクタとレセプタクルコネクタとからなる電気コネクタ１０に活用され、特に、プラグコネクタとレセプタクルコネクタとを嵌合した際に基板間がストレートタイプとL形タイプに共用できる構造の電気コネクタに関するものである。
【符号の説明】
【００３６】
１０、１０１、１１      電気コネクタ
２０、２０１、２１      プラグコネクタ
２２、２２１            ハウジング
２４、２４１            プラグコンタクト
２５、２５１、２５２    プラグコンタクト
２６                    嵌合口
２８                    接触部
３０                    固定部
３２                    接続部
３４                    本体部
３６                    側壁
３８                    上壁
４０                    挿入孔
５０、５１              レセプタクルコネクタ
５２、５２１            ブロック
５４                    レセプタクルコンタクト
５５、５５１、５５２    レセプタクルコンタクト
５６                    嵌合部
５８                    接触部
６０                    固定部
６２                    接続部
６４                    本体部
６６                    スリット
６８                    誘い部
７０                    挿入孔
【図１】
2010257942.tif 000003
【図２】
2010257942.tif 000004
【図３】
2010257942.tif 000005
【図４】
2010257942.tif 000006
【図５】
2010257942.tif 000007
【図６】
2010257942.tif 000008
【図７】
2010257942.tif 000009
【図８】
2010257942.tif 000010
【図９】
2010257942.tif 000011
【図１０】
2010257942.tif 000012
【図１１】
2010257942.tif 000013